(57)【要約】【課題】公共施設等に併設された貯水施設を検索することを可能にした貯水施設データ検索システムを提供すること。【解決手段】ネットワーク網ＮＴＷと、ネットワーク網ＮＴＷと通信可能なユーザ端末１０と、ネットワーク網ＮＴＷと通信可能であると共に少なくとも貯水施設の位置データを貯水施設データＣＳＤとして記憶した貯水施設データサーバ２０と、を有し、ユーザ端末１０からの要求データＲＱＤに応じた貯水施設データＣＳＤをユーザ端末１０に提供する貯水施設データ検索システム１００であって、端末側動作制御部１１は、ユーザ端末１０から貯水施設データサーバ２０に送信された要求データＲＱＤに基づいて貯水施設データサーバ２０から送信された貯水施設データＣＳＤを端末側記憶部１４に記憶させると共にデータ出力部１５に出力させる処理を実行することを特徴とする。【選択図】図１
2020194404.tif 000002
【特許請求の範囲】
【請求項１】
ネットワーク網と、前記ネットワーク網と通信可能なユーザ端末と、前記ネットワーク網と通信可能であると共に少なくとも貯水施設の位置データを貯水施設データとして記憶した貯水施設データサーバと、を有し、前記ユーザ端末からの要求データに応じた前記貯水施設データを前記ユーザ端末に提供する貯水施設データ検索システムであって、
前記ユーザ端末は、
前記ネットワーク網との通信が可能な端末側通信部と、
少なくとも前記要求データの入力を行うデータ入力部と、
前記貯水施設データが記憶可能な端末側記憶部と、
少なくとも前記貯水施設データの出力を行うデータ出力部と、
少なくとも前記端末側通信部と前記データ入力部と前記データ出力部と前記端末側記憶部の動作を制御する端末側動作制御部と、を具備し、
前記貯水施設データサーバは、
前記ネットワーク網との通信が可能なサーバ側通信部と、
少なくとも前記貯水施設データが記憶されているサーバ側記憶部と、
少なくとも前記ユーザ端末から送信された前記要求データに基づいて前記サーバ側記憶部から前記要求データに該当する前記貯水施設データを抽出すると共に前記サーバ側通信部を介して前記ユーザ端末に抽出した前記貯水施設データを送信させる処理を実行するサーバ側動作制御部と、を具備し、
前記端末側動作制御部は、前記ユーザ端末から前記貯水施設データサーバに送信された前記要求データに基づいて前記貯水施設データサーバから送信された前記貯水施設データを前記端末側記憶部に記憶させると共に前記データ出力部に出力させる処理を実行することを特徴とする貯水施設データ検索システム。
【請求項２】
前記貯水施設データには、残存貯水量データが含まれていることを特徴とする請求項１記載の貯水施設データ検索システム。
【請求項３】
前記端末側動作制御部は、前記貯水施設データに含まれている最大貯水量に対する前記残存貯水量データの割合をグラフ化して前記データ出力部に出力させる処理を実行することを特徴とする請求項２記載の貯水施設データ検索システム。
【請求項４】
前記ネットワーク網を介して前記ユーザ端末および前記貯水施設データサーバと通信可能な通信部と、データ入力およびデータ出力が可能なデータ入出力部と、を有する給水車をさらに具備し、
前記給水車が運搬している水の運搬中水容量データおよび運搬先貯水施設データが、前記データ入出力部から前記通信部を介して前記ユーザ端末および前記貯水施設データサーバのうち少なくとも一方に送信可能であって、
前記端末側動作制御部は、
前記運搬中水容量データおよび前記運搬先貯水施設データを直接受信した際においては、前記端末側記憶部に記憶されている前記貯水施設データのうち、前記運搬先貯水施設データに該当する前記貯水施設データに含まれている前記残存貯水量データに前記運搬中水容量データを反映させた更新後の前記貯水施設データを前記データ出力部に追加出力させる処理を実行し、前記運搬中水容量データおよび前記運搬先貯水施設データを反映させた更新後の前記貯水施設データを前記貯水施設データサーバから受信した際においては、更新後の前記貯水施設データを前記データ出力部に追加出力させる処理を実行することを特徴とする請求項２または３記載の貯水施設データ検索システム。
【請求項５】
前記給水車は、前記給水車の現在位置情報を取得可能な給水車位置検出部をさらに有し、
前記データ入出力部から前記通信部を介して前記給水車位置検出部により検出された前記給水車の前記現在位置情報が前記ユーザ端末に送信され、
前記端末側動作制御部は、前記給水車の前記現在位置情報に基づいて前記データ出力部に前記給水車の現在位置を出力させる処理を実行することを特徴とする請求項４記載の貯水施設データ検索システム。
【請求項６】
前記運搬先貯水施設データは前記給水車の到着予定時刻データを含んでいて、
前記端末側動作制御部は、更新後の前記貯水施設データを前記データ出力部に追加出力させる処理を実行する際に、前記到着予定時刻データを併せて出力させることを特徴とする請求項４または５記載の貯水施設データ検索システム。
【請求項７】
前記ユーザ端末には、前記ユーザ端末の位置情報を取得する端末位置情報取得部をさらに有し、
前記端末側動作制御部は、前記端末位置情報取得部により取得された前記ユーザ端末の位置情報を前記端末側通信部を介して前記貯水施設データサーバに前記要求データとして自動送信する処理を実行することを特徴とする請求項１〜５のうちのいずれか一項に記載の貯水施設データ検索システム。
【請求項８】
前記端末側記憶部には地図データが記憶されていて、ユーザにより前記データ出力部に出力されている前記貯水施設データのいずれかが前記データ入力部を介して選択された場合、
前記端末側動作制御部は、選択された前記貯水施設データと前記端末位置情報取得部により取得された前記位置情報と前記地図データとに基づいて、前記位置情報により特定される前記ユーザ端末の現在位置から選択された前記貯水施設データにより特定されている位置までの経路を前記データ出力部に出力させる処理を実行することを特徴とする請求項７記載の貯水施設データ検索システム。
【発明の詳細な説明】
【技術分野】
【０００１】
本発明は貯水施設データ検索システムに関する。
【背景技術】
【０００２】
地震発生時等においては、いわゆるライフラインが寸断され、電気、ガス、水等の供給がストップしてしまうことがある。このような事態に備えて蓄電池やガスボンベ、ペットボトルの水等を備蓄しておく対策が取られている。蓄電池やガスボンベの備蓄に関しては、消費期限を気にする必要がないため、長期間の備蓄になったとしても特別問題になることはないが、飲料水については消費期限があるため定期的な交換が必要になるといった不便さがある。
【０００３】
このような不便を解決するために、上水道に直結されていると共に地中に埋設された水備蓄用タンクが提供されている。このような水備蓄用タンクとしては例えば特許文献１（特許第３８４７７２１号公報）に開示されているような構成のものが知られている。
【先行技術文献】
【特許文献】
【０００４】
【特許文献１】特許第３８４７７２１号公報（請求項１，図２等）
【発明の概要】
【発明が解決しようとする課題】
【０００５】
特許文献１に開示されている貯水装置は所有者が自身のために使用するものであり、公共施設の一部としての使用は想定されておらず、上水道がストップした場合においては給水車による給水に頼らざるを得ない状況にある。そして給水車による給水場所にはたくさんの人が集中することになり、水を得るために長時間並ばなければならないといった課題がある。また、一回で運搬することができる水の容量には限界があるため、水を必要とする人すべてに給水することができないことがあるといった課題も有している。これらのような課題は、特に老人のみの家庭や小さい子供がいる家庭等、いわゆる弱者と呼ばれる人たちにとっては深刻な課題になっている。
【課題を解決するための手段】
【０００６】
そこで本発明は上記課題を解決すべくなされ、その目的とするところは、公共施設等に併設された貯水施設を検索することを可能にした貯水施設データ検索システムを提供することにある。
【０００７】
上記課題を解決するために発明者が鋭意研究した結果、以下の構成に想到した。すなわち本発明は、ネットワーク網と、前記ネットワーク網と通信可能なユーザ端末と、前記ネットワーク網と通信可能であると共に少なくとも貯水施設の位置データを貯水施設データとして記憶した貯水施設データサーバと、を有し、前記ユーザ端末からの要求データに応じた前記貯水施設データを前記ユーザ端末に提供する貯水施設データ検索システムであって、前記ユーザ端末は、前記ネットワーク網との通信が可能な端末側通信部と、少なくとも前記要求データの入力を行うデータ入力部と、前記貯水施設データが記憶可能な端末側記憶部と、少なくとも前記貯水施設データの出力を行うデータ出力部と、少なくとも前記端末側通信部と前記データ入力部と前記データ出力部と前記端末側記憶部の動作を制御する端末側動作制御部と、を具備し、前記貯水施設データサーバは、前記ネットワーク網との通信が可能なサーバ側通信部と、少なくとも前記貯水施設データが記憶されているサーバ側記憶部と、少なくとも前記ユーザ端末から送信された前記要求データに基づいて前記サーバ側記憶部から前記要求データに該当する前記貯水施設データを抽出すると共に前記サーバ側通信部を介して前記ユーザ端末に抽出した前記貯水施設データを送信させる処理を実行するサーバ側動作制御部と、を具備し、前記端末側動作制御部は、前記ユーザ端末から前記貯水施設データサーバに送信された前記要求データに基づいて前記貯水施設データサーバから送信された前記貯水施設データを前記端末側記憶部に記憶させると共に前記データ出力部に出力させる処理を実行することを特徴とする貯水施設データ検索システムである。
【０００８】
これにより、公共のために利用可能な貯水施設の検索が可能になる。
【０００９】
また、前記貯水施設データには、残存貯水量データが含まれていることが好ましい。さらには、前記端末側動作制御部は、前記貯水施設データに含まれている最大貯水量に対する前記残存貯水量データの割合をグラフ化して前記データ出力部に出力させる処理を実行することが好ましい。
【００１０】
これらにより、ユーザが貯水量の少ない貯水施設に向かい、水を得ることができなくなってしまうといった無駄を省くことができる。
【００１１】
また、前記ネットワーク網を介して前記ユーザ端末および前記貯水施設データサーバと通信可能な通信部と、データ入力およびデータ出力が可能なデータ入出力部と、を有する給水車をさらに具備し、前記給水車が運搬している水の運搬中水容量データおよび運搬先貯水施設データが、前記データ入出力部から前記通信部を介して前記ユーザ端末および前記貯水施設データサーバのうち少なくとも一方に送信可能であって、前記端末側動作制御部は、前記運搬中水容量データおよび前記運搬先貯水施設データを直接受信した際においては、前記端末側記憶部に記憶されている前記貯水施設データのうち、前記運搬先貯水施設データに該当する前記貯水施設データに含まれている前記残存貯水量データに前記運搬中水容量データを反映させた更新後の前記貯水施設データを前記データ出力部に追加出力させる処理を実行し、前記運搬中水容量データおよび前記運搬先貯水施設データを反映させた更新後の前記貯水施設データを前記貯水施設データサーバから受信した際においては、更新後の前記貯水施設データを前記データ出力部に追加出力させる処理を実行することが好ましい。
【００１２】
また、前記給水車は、前記給水車の現在位置情報を取得可能な給水車位置検出部をさらに有し、前記データ入出力部から前記通信部を介して前記給水車位置検出部により検出された前記給水車の前記現在位置情報が前記ユーザ端末に送信され、前記端末側動作制御部は、前記給水車の前記現在位置情報に基づいて前記データ出力部に前記給水車の現在位置を出力させる処理を実行することがさらに好ましい。
【００１３】
また、前記運搬先貯水施設データは前記給水車の到着予定時刻データを含んでいて、前記端末側動作制御部は、更新後の前記貯水施設データを前記データ出力部に追加出力させる処理を実行する際に、前記到着予定時刻データを併せて出力させることがより好ましい。
【００１４】
これらによれば、ユーザはきわめて近い将来における貯水施設の貯水量を把握することができ、水を得るために向かうべき貯水施設の選択肢を広げることができる。
【００１５】
また、前記ユーザ端末には、前記ユーザ端末の位置情報を取得する端末位置情報取得部をさらに有し、前記端末側動作制御部は、前記端末位置情報取得部により取得された前記ユーザ端末の位置情報を前記端末側通信部を介して前記貯水施設データサーバに前記要求データとして自動送信する処理を実行することが好ましい。
【００１６】
これにより、ユーザは特に要求データを送信する操作を実行しなくても最寄りの貯水施設の分布状態を把握することができる。
【００１７】
また、前記端末側記憶部には地図データが記憶されていて、ユーザにより前記データ出力部に出力されている前記貯水施設データのいずれかが前記データ入力部を介して選択された場合、前記端末側動作制御部は、選択された前記貯水施設データと前記端末位置情報取得部により取得された前記位置情報と前記地図データとに基づいて、前記位置情報により特定される前記ユーザ端末の現在位置から選択された前記貯水施設データにより特定されている位置までの経路を前記データ出力部に出力させる処理を実行することが好ましい。
【００１８】
これにより、地理情報に詳しくないユーザであっても、容易に貯水施設に向かうことができる。
【発明の効果】
【００１９】
本発明における貯水施設データ検索システムの構成を採用することにより、公共の使用が可能な貯水施設の検索を容易に行うことができる。
【図面の簡単な説明】
【００２０】
【図１】第１実施形態における貯水施設データ検索システムの概略構成図である。
【図２】第１実施形態における貯水施設データ検索システムのユーザ端末の概略構成図である。
【図３】第１実施形態における貯水施設データ検索システムの貯水施設データサーバの概略構成図である。
【図４】第１実施形態における貯水施設データ検索システムを用いた貯水施設データの検索方法の概略処理フロー図である。
【図５】第１実施形態における貯水施設データ検索システムにおける貯水施設の分布マップの一例である。
【図６】第２実施形態における貯水施設データ検索システムにおける貯水施設の分布マップの一例である。
【図７】第３実施形態における貯水施設データ検索システムの概略構成図である。
【図８】第４実施形態における貯水施設データ検索システムの概略構成図である。
【図９】第４実施形態における貯水施設データ検索システムにおける貯水施設の分布マップの一例である。
【発明を実施するための形態】
【００２１】
以下、本発明にかかる貯水施設データ検索システムの実施形態について、図面に基づいて具体的に説明する。
【００２２】
（第１実施形態）
図１は第１実施形態における貯水施設データ検索システムの概略構成図である。図２は本実施形態における貯水施設データ検索システムのユーザ端末の概略構成図であり、図３は本実施形態における貯水施設データ検索システムの貯水施設データサーバの概略構成図である。図１に示すように本実施形態における貯水施設データ検索システム１００は、ネットワーク網ＮＴＷとネットワーク網ＮＴＷに通信可能な少なくとも１台のユーザ端末１０および貯水施設データサーバ２０を有している。具体的には、ユーザ端末１０からの要求データがネットワーク網ＮＴＷを介して貯水施設データサーバ２０に送信されると、貯水施設データサーバ２０のサーバ側動作制御部２１が要求データに該当する貯水施設データＣＳＤをユーザ端末１０に送信し、ユーザ端末１０の端末側動作制御部１１が貯水施設データサーバ２０から受信した貯水施設データＣＳＤをユーザ端末１０のデータ出力部１５に出力するものである。
【００２３】
本実施形態におけるユーザ端末１０は、図１および図２に示すように、端末側動作制御部１１と、端末側通信部１２と、データ入力部１３と、端末側記憶部１４と、データ出力部１５とを具備している。端末側動作制御部１１は、端末側記憶部１４に予め記憶されている動作制御プログラムＰＧＭに基づいて端末側通信部１２と、データ入力部１３と、端末側記憶部１４と、データ出力部１５の動作制御を行うものであり、パーソナルコンピュータのＣＰＵ等を例示することができる。端末側通信部１２は、ユーザ端末１０をインターネット等のネットワーク網ＮＴＷに接続させるためのものであり、無線ＬＡＮに代表される通信機器等を例示することができる。データ入力部１３は少なくとも貯水施設に関する情報を要求する要求データＲＱＤを作成する際において、任意の要求データＲＱＤの入力を行うためのものであり、音声入力マイクやタッチパネルならびにキーボード等を例示することができる。
【００２４】
端末側記憶部１４は、動作制御プログラムＰＧＭが予め記憶されていると共に、データ入力部１３により入力された要求データＲＱＤや貯水施設データサーバ２０から送信された貯水施設データＣＳＤ等が追加記憶可能な記憶媒体である。このような記憶媒体としては不揮発性の記憶媒体が好ましく、ハードディスクドライブやフラッシュメモリ等を例示することができる。データ出力部１５は少なくとも貯水施設データＣＳＤの出力を行うものであり、ディスプレーモニタやスピーカを例示することができる。このようなユーザ端末１０としてはいわゆるタブレット端末やスマートフォンに代表される電子機器により実現することができる。
【００２５】
本実施形態における貯水施設データサーバ２０は、図１および図３に示すように、サーバ側動作制御部２１と、サーバ側通信部２２と、サーバ側記憶部２３とを具備している。サーバ側動作制御部２１は、サーバ側記憶部２３に予め記憶されている動作制御プログラムＰＧＭに基づいてサーバ側通信部２２とサーバ側記憶部２３の動作制御を行うためのものであり、サーバコンピュータのＣＰＵ等を例示することができる。サーバ側通信部２２は、貯水施設データサーバ２０をインターネット等のネットワーク網ＮＴＷに接続させるためのものであり、無線ＬＡＮ等の通信機器等を例示することができる。サーバ側記憶部２３は少なくとも貯水施設の位置データを含む貯水施設データＣＳＤが地図データＭＡＰと共に記憶可能な記憶媒体であって、不揮発性の記憶媒体が好ましく、ハードディスクドライブやフラッシュメモリ等を例示することができる。このような貯水施設データサーバ２０は、いわゆるサーバコンピュータに代表される電子機器により実現することができる。
【００２６】
次に本実施形態における貯水施設データ検索システム１００を用いた貯水施設データ検索方法について図４を参照しながら説明する。ユーザは、ユーザ端末１０の端末側記憶部１４に予めインストールしてある動作制御プログラムＰＧＭを起動する（ステップ１）。動作制御プログラムＰＧＭが起動すると、端末側動作制御部１１はユーザ端末１０のデータ出力部１５であるディスプレーモニタに貯水施設の検索条件となる要求データＲＱＤの入力画面を出力し、ユーザに要求データＲＱＤの入力を促す（ステップ２）。
【００２７】
要求データＲＱＤは、ユーザがユーザ端末１０を用いて検索したい貯水施設に関する要求内容からなるデータである。具体的には、貯水施設の名称、指定住所（指定区域）、駐車場の有無等により構成することができる。要求データＲＱＤは、動作制御プログラムＰＧＭによりユーザ端末１０のデータ出力部１５に出力された要求データ入力フォームに任意の要求条件または要求データ入力フォーマットに従って直接または選択ボタン形式により入力する方式や、音声入力方式により生成することができる。入力された要求データＲＱＤは端末側記憶部１４に記憶させてくこともできる。
【００２８】
ユーザがデータ入力部１３から要求データＲＱＤの入力（ステップ３）を行うと、端末側動作制御部１１はディスプレーモニタに送信ボタンを出力し、ユーザに要求データＲＱＤの送信を促す（ステップ４）。ユーザが送信ボタンをクリックすると端末側動作制御部１１は要求データＲＱＤの入力画面に入力された要求データＲＱＤを端末側通信部１２およびインターネット等のネットワーク網ＮＴＷを介して接続された貯水施設データサーバ２０に要求データＲＱＤの送信（ステップ５）を行う。
【００２９】
貯水施設データサーバ２０のサーバ側動作制御部２１は、ネットワーク網ＮＴＷおよびサーバ側通信部２２を介して受信したユーザ端末１０からの要求データＲＱＤを受信（ステップ６）させると共に、サーバ側記憶部２３に要求データＲＱＤを記憶させる（ステップ７）処理を実行する。続いてサーバ側動作制御部２１は受信した要求データＲＱＤに基づいて、サーバ側記憶部２３に予め記憶されている貯水施設データＣＳＤから要求データＲＱＤの要求内容に該当する貯水施設データＣＳＤを抽出する（ステップ８）と共に、サーバ側通信部２２およびネットワーク網ＮＴＷを介して接続されているユーザ端末１０に抽出した貯水施設データＣＳＤを送信する（ステップ９）。
【００３０】
ユーザ端末１０の端末側動作制御部１１は、端末側通信部およびネットワーク網ＮＴＷを介して貯水施設データサーバ２０から送信された要求データＲＱＤに対する回答データとしての貯水施設データＣＳＤを受信（ステップ１０）すると共に、端末側記憶部１４に受信した貯水施設データＣＳＤを記憶させる（ステップ１１）処理を実行する。このとき、端末側動作制御部１１は、受信した貯水施設データＣＳＤに対応する要求データＲＱＤと紐付けした状態で端末側記憶部１４に貯水施設データＣＳＤを記憶させることもできる。
【００３１】
次に、ユーザ端末１０の端末側動作制御部１１は、受信した貯水施設データＣＳＤをデータ出力部１５としてのディスプレーモニタに出力（ステップ１２）する処理を実行する。貯水施設データＣＳＤには、貯水施設の名称、貯水施設の位置（住所）、駐車場の有無、貯水量等のデータを含んでいる。端末側記憶部１４に予め地図データＭＡＰが記憶されている場合、端末側動作制御部１１は、貯水施設データＣＳＤに含まれている貯水施設の位置データに基づいてディスプレーモニタに要求データＲＱＤに該当する貯水施設の分布マップを図５に示すようにディスプレーモニタに出力することができる。なお、図５における●印および×印は、前者が要求データＲＱＤに該当する貯水施設の位置を示すものであり、後者が要求データＲＱＤにおいて要求した指定住所（指定区域）の位置や後述するユーザ端末１０が取得した現在位置情報に基づいて特定された位置を示すものである。貯水施設の分布マップはデータ入力部１３の指示により拡大および縮小することもできる。
【００３２】
また、貯水施設データＣＳＤに貯水施設の名称および外観写真データや駐車場の有無データならびに貯水量のデータが含まれていて、データ入力部１３で分布マップに出力されている任意の貯水施設を選択（クリックまたはマウスオン）した場合、選択した貯水施設の名称および外観写真や駐車場の有無データならびに貯水量の追加データを分布マップで選択した貯水施設の脇に追加出力させることもできる。さらに、端末側記憶部１４に地図データＭＡＰやナビゲーションデータが記憶されていると共にＧＰＳ装置等によりユーザ端末１０の現在位置情報の取得が可能である場合には、データ入力部１３で任意の貯水施設を選択した際に、現在位置情報により特定されるユーザ端末１０の現在位置から、選択した貯水施設の貯水施設データＣＳＤにより特定されている位置までの経路案内画面の出力を行う経路案内機能ボタン（図示はせず）を追加出力させることもできる。このような経路案内機能によれば、外出先で災害に遭ってしまったような場合や地理的な知識に乏しいユーザであっても確実に貯水施設に向かうことができる。
【００３３】
以上のようにしてユーザは貯水施設データの検索を行うことができる。以上の実施形態においては、要求データＲＱＤの内容が具体的な内容になっている形態について説明したが、要求データＲＱＤは具体的な条件を定めず、貯水施設データＣＳＤのすべてを要求する内容にすることもできる。また、端末側動作制御部１１は、ユーザ端末１０の端末位置情報取得部としてのＧＰＳ装置等によりユーザ端末１０の現在位置を自動取得させ、取得したユーザ端末１０の現在位置情報を貯水施設データサーバ２０に要求データＲＱＤとして自動送信させるようにしてもよい。これらによれば、貯水施設の分布マップの任意の部分を拡大・縮小することで任意の貯水施設を検索することができる点において好都合である。
【００３４】
（第２実施形態）
本実施形態においては、第１実施形態における貯水施設データ検索システム１００に残存貯水量に関する情報を追加した点が特徴である。本実施形態における貯水施設データ検索システム１００において第１実施形態と共通する構成については、第１実施形態で用いた符号を付すことにより、ここでの詳細な説明を省略する。
【００３５】
本実施形態においては、貯水施設データ検索システム１００に登録されている各々の貯水施設における貯水タンクに図示しないデータ出力可能な水位計が残存貯水量検出手段として設けられていて、データ出力可能な水位計はネットワーク網ＮＴＷに接続されており、データ出力可能な水位計により検出された貯水タンクの残存貯水量データは常時または所定時間毎に貯水施設データサーバ２０に送信可能に設けられている。このようなデータ出力可能な水位計は、貯水タンクの水取出口に装着されたキャップの内面に貯水タンク内の水面に向けて音波を照射し、水面からの反射波を計測するソナーを取り付け、ソナーによる計測値をデータ出力可能にしたものを例示することができる。
【００３６】
貯水施設データサーバ２０のサーバ側動作制御部２１は、データ出力可能な水位計から提供された貯水タンクの残存貯水量データと最大貯水量データとを用いてそれぞれの貯水施設における最大貯水量データに対する残存貯水量データの割合をグラフ化してディスプレーモニタにそれぞれの貯水施設に対応するグラフを図６に示すように出力させる処理を実行する。
【００３７】
本実施形態における最大貯水量データに対する残存貯水量データの割合のグラフは、図６に示すように、最大貯水量をタンク全体として表示し、残存貯水量をタンク内の水として出力している。図６について具体的に説明すると、図６のほぼ中央に位置する飯田市役所においては、タンクに×印があるため、残存貯水量が０であることがわかる。図６の中央部下端部分に位置する飯田市立病院はタンクが２本あり、いずれのタンクも満タンであることがわかる。このような貯水施設の分布マップを採用することで、どの貯水施設に向かえば水を入手することができる可能性が高いかを判断することができるため、使い勝手が良好である。
【００３８】
（第３実施形態）
本実施形態においては、第１実施形態および第２実施形態の少なくとも一方における貯水施設データ検索システム１００に給水車３０に関する情報を追加した点が特徴である。本実施形態における貯水施設データ検索システム１００において第１実施形態または第２実施形態と共通する構成については、第１実施形態または第２実施形態で用いた符号を付すことにより、ここでの詳細な説明を省略する。
【００３９】
本実施形態においては、図７に示すようにネットワーク網ＮＴＷと通信可能な給水車３０を追加的に有している点が特徴である。給水車３０は、ネットワーク網ＮＴＷを介してユーザ端末１０および貯水施設データサーバ２０と通信可能な通信部３１と、データ入力およびデータ出力が可能なデータ入出力部３２と、これらの動作制御を行う給水車側動作制御部３３を具備する。本実施形態における給水車３０に搭載された上記各構成は、いわゆるタブレット端末やスマートフォン等に代表される電子機器により実現することができる。給水車３０の貯水タンクにはデータ送信可能な水位計（いずれも図示せず）が設けられ、データ出力可能な水位計による検出数値（運搬中水容量データＴＷＤ）がデータ入出力部３２に送信される。給水車側動作制御部３３は、データ出力可能な水位計から送信された運搬中水容量データＴＷＤを、運搬先貯水施設データＴＳＤと共に通信部３１およびネットワーク網ＮＴＷを介して貯水施設データサーバ２０に送信する処理を実行する。給水車側動作制御部３３は、給水車３０が運搬先貯水施設データＴＳＤに到着予定時刻データを追加させるようにしてもよい。これら給水車３０からネットワーク網ＮＴＷに送信されるデータは図示しない車両側記憶部に記憶させておくこともできる。
【００４０】
貯水施設データサーバ２０のサーバ側動作制御部２１は、サーバ側通信部２２を介して受信した運搬中水容量データＴＷＤと運搬先貯水施設データＴＳＤをサーバ側記憶部２３に記憶させる処理を実行する。次に、サーバ側動作制御部２１はサーバ側記憶部２３に記憶されている貯水施設データＣＳＤから運搬先貯水施設データＴＳＤに該当する貯水施設でデータＣＳＤを抽出し、抽出した貯水施設データＣＳＤにおける残存貯水量データに運搬中水容量データＴＷＤを反映させた更新後の貯水施設データＣＳＤを生成し、サーバ側記憶部２３に記憶させる処理を実行する。
【００４１】
また、給水車３０からの運搬中水容量データＴＷＤと運搬先貯水施設データＴＳＤをユーザ端末１０に直接受信させることもできる。ユーザ端末１０の端末側動作制御部１１は、受信した運搬先貯水施設データＴＳＤを端末側記憶部１４に記憶させると共に、すでに端末側記憶部１４に記憶されている最新の貯水施設データＣＳＤが運搬先貯水施設データＴＳＤに一致した場合、一致した貯水施設データＣＳＤの残存貯水量に運搬中水容量データＴＷＤを反映させた更新後の貯水施設データＣＳＤを生成する処理を実行することもできる。そして、端末側動作制御部１１はこのようにして得られた最新の貯水施設データＣＳＤをディスプレーモニタに出力させれば、貯水施設データサーバ２０に運搬中水容量データＴＷＤと運搬先貯水施設データＴＳＤを送信した形態と同様の結果を得ることができる。
【００４２】
以上のような形態によれば、ユーザ端末１０は最新の貯水施設データＣＳＤを入手することができる。また、給水車３０の到着予定時刻データが追加されている場合には、貯水施設分布マップに表示され、ユーザにより選択された貯水施設の出力情報に給水車３０の到着予定時刻を併せて出力させることができる。これにより、貯水施設現時点では残存貯水量が少ない貯水施設であっても残存貯水量が増加する予定時刻を確認することができるため、貯水施設の選択肢を増やすことができる点において好都合である。
【００４３】
（第４実施形態）
本実施形態においては、図８に示すように給水車３０の現在位置データが取得可能な給水車位置検出部３４をさらに有している点で第３実施形態と構成が異なる。給水車位置検出部３４によって検出された給水車３０の現在位置データは通信部３１からネットワーク網ＮＴＷを介してユーザ端末１０または貯水施設データサーバ２０に送信され、受信した現在位置データと地図データＭＡＰまたはナビゲーションデータに基づいてユーザ端末１０のディスプレーモニタに出力された経路貯水施設分布マップ上に給水車３０の現在位置表示が行われる（図９参照）。このとき、端末側動作制御部１１またはサーバ側動作制御部２１は、運搬先貯水施設データＴＳＤと給水車位置検出部３４による給水車３０の現在位置データと、地図データＭＡＰまたはナビゲーションデータに基づいて、貯水施設分布マップ上に表示させた給水車３０の行先を矢印等で併せて表示させることもできる。なお、給水車３０が水を運搬していないとき（給水車３０が運搬先貯水施設データＴＳＤを送信していないとき）には、経路貯水施設分布マップ上への給水車３０の現在位置表示を行わないようにすることもできる。
【００４４】
図９に示されているように、給水車３０は、現在残存貯水量が０である飯田市役所に向けて水を運搬中であることが理解できる。給水車３０から運搬中水容量データＴＷＤと運搬先貯水施設データＴＳＤと到着予定時刻データが提供されている場合、図９に示されている給水車３０または飯田市役所をクリックまたはマウスオン（選択）すれば、端末側動作制御部１１が現在運搬中の水の到着予定時刻または到着予定時間をディスプレーモニタに出力させることもできる。
【００４５】
以上、本発明にかかる貯水施設データ検索システム１００について複数の実施形態に基づいて詳細に説明をしたが、本発明にかかる貯水施設データ検索システム１００は以上の実施形態に限定されるものではない。例えば、以上の実施形態においては、貯水施設データサーバ２０および給水車３０はネットワーク網ＮＴＷに１台のみ接続された形態について説明しているが、複数台の貯水施設データサーバ２０および給水車３０を接続させることもできる。これによりユーザ端末１０からの要求データＲＱＤに対する回答処理の向上や、残存貯水量が０になる貯水施設の数を削減することができる。
【００４６】
また、以上の実施形態においては、貯水施設における貯水タンクに図示しないデータ出力可能な水位計が残存貯水量検出手段として設けられていて、貯水タンクの残存貯水量が貯水施設データサーバ２０に自動的に送信される形態について説明しているが、貯水施設における管理者が目視等により貯水タンクの残存貯水量を計測し、管理者が残存貯水量を貯水施設データサーバ２０に送信する簡易化された形態を採用することもできる。
【００４７】
また、以上に説明した実施形態における各種変形例どうしを適宜組み合わせた構成を採用することも可能である。
【符号の説明】
【００４８】
１０  ユーザ端末，
１１  端末側動作制御部，１２  端末側通信部，１３  データ入力部，
１４  端末側記憶部，１５  データ出力部，
２０  貯水施設データサーバ，
２１  サーバ側動作制御部，２２  サーバ側通信部，２３  サーバ側記憶部，
３０  給水車，
３１  通信部，３２  データ入出力部，３３  給水車側動作制御部，
３４  給水車位置検出部，
１００  貯水施設データ検索システム，
ＣＳＤ  貯水施設データ，
ＭＡＰ  地図データ，
ＮＴＷ  ネットワーク網，
ＰＧＭ  動作制御プログラム，
ＲＱＤ  要求データ，
ＴＳＤ  運搬先貯水施設データ，
ＴＷＤ  運搬中水容量データ
【図１】
2020194404.tif 000003
【図２】
2020194404.tif 000004
【図３】
2020194404.tif 000005
【図４】
2020194404.tif 000006
【図５】
2020194404.tif 000007
【図６】
2020194404.tif 000008
【図７】
2020194404.tif 000009
【図８】
2020194404.tif 000010
【図９】
2020194404.tif 000011
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
ネットワーク網と、前記ネットワーク網と通信可能なユーザ端末と、前記ネットワーク網と通信可能であると共に少なくとも貯水施設の位置データおよび残存貯水量データを貯水施設データとして記憶した貯水施設データサーバと、を有し、前記ユーザ端末からの要求データに応じた前記貯水施設データを前記ユーザ端末に提供する貯水施設データ検索システムであって、
前記ユーザ端末は、
前記ネットワーク網との通信が可能な端末側通信部と、
少なくとも前記要求データの入力を行うデータ入力部と、
前記貯水施設データが記憶可能な端末側記憶部と、
少なくとも前記貯水施設データの出力を行うデータ出力部と、
少なくとも前記端末側通信部と前記データ入力部と前記データ出力部と前記端末側記憶部の動作を制御する端末側動作制御部と、を具備し、
前記貯水施設データサーバは、
前記ネットワーク網との通信が可能なサーバ側通信部と、
少なくとも前記貯水施設データが記憶されているサーバ側記憶部と、
少なくとも前記ユーザ端末から送信された前記要求データに基づいて前記サーバ側記憶部から前記要求データに該当する前記貯水施設データを抽出すると共に前記サーバ側通信部を介して前記ユーザ端末に抽出した前記貯水施設データを送信させる処理を実行するサーバ側動作制御部と、を具備し、
前記ネットワーク網を介して前記ユーザ端末および前記貯水施設データサーバと通信可能な通信部と、データ入力およびデータ出力が可能なデータ入出力部と、を有する給水車が運搬している水の運搬中水容量データおよび運搬先貯水施設データが、前記データ入出力部から前記通信部を介して前記ユーザ端末および前記貯水施設データサーバのうち少なくとも一方に送信可能であって、
前記端末側動作制御部は、前記ユーザ端末から前記貯水施設データサーバに送信された前記要求データに基づいて前記貯水施設データサーバから送信された前記貯水施設データを前記端末側記憶部に記憶させると共に前記データ出力部に出力させる処理を実行し、
前記運搬中水容量データおよび前記運搬先貯水施設データを直接受信した際においては、前記端末側記憶部に記憶されている前記貯水施設データのうち、前記運搬先貯水施設データに該当する前記貯水施設データに含まれている前記残存貯水量データに前記運搬中水容量データを反映させた更新後の前記貯水施設データを前記データ出力部に追加出力させる処理を実行し、前記運搬中水容量データおよび前記運搬先貯水施設データを反映させた更新後の前記貯水施設データを前記貯水施設データサーバから受信した際においては、更新後の前記貯水施設データを前記データ出力部に追加出力させる処理を実行することを特徴とする貯水施設データ検索システム。
【請求項２】
前記端末側動作制御部は、前記貯水施設データに含まれている最大貯水量に対する前記残存貯水量データの割合をグラフ化して前記データ出力部に出力させる処理を実行することを特徴とする請求項１記載の貯水施設データ検索システム。
【請求項３】
前記給水車は、前記給水車の現在位置情報を取得可能な給水車位置検出部をさらに有し、
前記データ入出力部から前記通信部を介して前記給水車位置検出部により検出された前記給水車の前記現在位置情報が前記ユーザ端末に送信され、
前記端末側動作制御部は、前記給水車の前記現在位置情報に基づいて前記データ出力部に前記給水車の現在位置を出力させる処理を実行することを特徴とする請求項１または２記載の貯水施設データ検索システム。
【請求項４】
前記運搬先貯水施設データは前記給水車の到着予定時刻データを含んでいて、
前記端末側動作制御部は、更新後の前記貯水施設データを前記データ出力部に追加出力させる処理を実行する際に、前記到着予定時刻データを併せて出力させることを特徴とする請求項１〜３のうちのいずれか一項に記載の貯水施設データ検索システム。
【請求項５】
前記ユーザ端末には、前記ユーザ端末の位置情報を取得する端末位置情報取得部をさらに有し、
前記端末側動作制御部は、前記端末位置情報取得部により取得された前記ユーザ端末の位置情報を前記端末側通信部を介して前記貯水施設データサーバに前記要求データとして自動送信する処理を実行することを特徴とする請求項１〜４のうちのいずれか一項に記載の貯水施設データ検索システム。
【請求項６】
前記端末側記憶部には地図データが記憶されていて、ユーザにより前記データ出力部に出力されている前記貯水施設データのいずれかが前記データ入力部を介して選択された場合、
前記端末側動作制御部は、選択された前記貯水施設データと前記端末位置情報取得部により取得された前記位置情報と前記地図データとに基づいて、前記位置情報により特定される前記ユーザ端末の現在位置から選択された前記貯水施設データにより特定されている位置までの経路を前記データ出力部に出力させる処理を実行することを特徴とする請求項５記載の貯水施設データ検索システム。
【手続補正２】
【補正対象書類名】明細書
【補正対象項目名】全文
【補正方法】変更
【補正の内容】
【発明の詳細な説明】
【技術分野】
【０００１】
本発明は貯水施設データ検索システムに関する。
【背景技術】
【０００２】
地震発生時等においては、いわゆるライフラインが寸断され、電気、ガス、水等の供給がストップしてしまうことがある。このような事態に備えて蓄電池やガスボンベ、ペットボトルの水等を備蓄しておく対策が取られている。蓄電池やガスボンベの備蓄に関しては、消費期限を気にする必要がないため、長期間の備蓄になったとしても特別問題になることはないが、飲料水については消費期限があるため定期的な交換が必要になるといった不便さがある。
【０００３】
このような不便を解決するために、上水道に直結されていると共に地中に埋設された水備蓄用タンクが提供されている。このような水備蓄用タンクとしては例えば特許文献１（特許第３８４７７２１号公報）に開示されているような構成のものが知られている。
【先行技術文献】
【特許文献】
【０００４】
【特許文献１】特許第３８４７７２１号公報（請求項１，図２等）
【発明の概要】
【発明が解決しようとする課題】
【０００５】
特許文献１に開示されている貯水装置は所有者が自身のために使用するものであり、公共施設の一部としての使用は想定されておらず、上水道がストップした場合においては給水車による給水に頼らざるを得ない状況にある。そして給水車による給水場所にはたくさんの人が集中することになり、水を得るために長時間並ばなければならないといった課題がある。また、一回で運搬することができる水の容量には限界があるため、水を必要とする人すべてに給水することができないことがあるといった課題も有している。これらのような課題は、特に老人のみの家庭や小さい子供がいる家庭等、いわゆる弱者と呼ばれる人たちにとっては深刻な課題になっている。
【課題を解決するための手段】
【０００６】
そこで本発明は上記課題を解決すべくなされ、その目的とするところは、公共施設等に併設された貯水施設を検索することを可能にした貯水施設データ検索システムを提供することにある。
【０００７】
上記課題を解決するために発明者が鋭意研究した結果、以下の構成に想到した。すなわち本発明は、ネットワーク網と、前記ネットワーク網と通信可能なユーザ端末と、前記ネットワーク網と通信可能であると共に少なくとも貯水施設の位置データおよび残存貯水量データを貯水施設データとして記憶した貯水施設データサーバと、を有し、前記ユーザ端末からの要求データに応じた前記貯水施設データを前記ユーザ端末に提供する貯水施設データ検索システムであって、前記ユーザ端末は、前記ネットワーク網との通信が可能な端末側通信部と、少なくとも前記要求データの入力を行うデータ入力部と、前記貯水施設データが記憶可能な端末側記憶部と、少なくとも前記貯水施設データの出力を行うデータ出力部と、少なくとも前記端末側通信部と前記データ入力部と前記データ出力部と前記端末側記憶部の動作を制御する端末側動作制御部と、を具備し、前記貯水施設データサーバは、前記ネットワーク網との通信が可能なサーバ側通信部と、少なくとも前記貯水施設データが記憶されているサーバ側記憶部と、少なくとも前記ユーザ端末から送信された前記要求データに基づいて前記サーバ側記憶部から前記要求データに該当する前記貯水施設データを抽出すると共に前記サーバ側通信部を介して前記ユーザ端末に抽出した前記貯水施設データを送信させる処理を実行するサーバ側動作制御部と、を具備し、前記ネットワーク網を介して前記ユーザ端末および前記貯水施設データサーバと通信可能な通信部と、データ入力およびデータ出力が可能なデータ入出力部と、を有する給水車が運搬している水の運搬中水容量データおよび運搬先貯水施設データが、前記データ入出力部から前記通信部を介して前記ユーザ端末および前記貯水施設データサーバのうち少なくとも一方に送信可能であって、前記端末側動作制御部は、前記ユーザ端末から前記貯水施設データサーバに送信された前記要求データに基づいて前記貯水施設データサーバから送信された前記貯水施設データを前記端末側記憶部に記憶させると共に前記データ出力部に出力させる処理を実行し、前記運搬中水容量データおよび前記運搬先貯水施設データを直接受信した際においては、前記端末側記憶部に記憶されている前記貯水施設データのうち、前記運搬先貯水施設データに該当する前記貯水施設データに含まれている前記残存貯水量データに前記運搬中水容量データを反映させた更新後の前記貯水施設データを前記データ出力部に追加出力させる処理を実行し、前記運搬中水容量データおよび前記運搬先貯水施設データを反映させた更新後の前記貯水施設データを前記貯水施設データサーバから受信した際においては、更新後の前記貯水施設データを前記データ出力部に追加出力させる処理を実行することを特徴とする貯水施設データ検索システムである。
【０００８】
これにより、公共のために利用可能な貯水施設の検索が可能になると共に、近い将来における貯水施設の貯水量を把握することができる。
【０００９】
また、前記端末側動作制御部は、前記貯水施設データに含まれている最大貯水量に対する前記残存貯水量データの割合をグラフ化して前記データ出力部に出力させる処理を実行することが好ましい。
【００１０】
これにより、ユーザが貯水量の少ない貯水施設に向かい、水を得ることができなくなってしまうといった無駄を省くことができる。
【００１１】
また、前記給水車は、前記給水車の現在位置情報を取得可能な給水車位置検出部をさらに有し、前記データ入出力部から前記通信部を介して前記給水車位置検出部により検出された前記給水車の前記現在位置情報が前記ユーザ端末に送信され、前記端末側動作制御部は、前記給水車の前記現在位置情報に基づいて前記データ出力部に前記給水車の現在位置を出力させる処理を実行することがさらに好ましい。
【００１２】
また、前記運搬先貯水施設データは前記給水車の到着予定時刻データを含んでいて、前記端末側動作制御部は、更新後の前記貯水施設データを前記データ出力部に追加出力させる処理を実行する際に、前記到着予定時刻データを併せて出力させることがより好ましい。
【００１３】
これらによれば、ユーザはきわめて近い将来における貯水施設の貯水量を把握することができ、水を得るために向かうべき貯水施設の選択肢を広げることができる。
【００１４】
また、前記ユーザ端末には、前記ユーザ端末の位置情報を取得する端末位置情報取得部をさらに有し、前記端末側動作制御部は、前記端末位置情報取得部により取得された前記ユーザ端末の位置情報を前記端末側通信部を介して前記貯水施設データサーバに前記要求データとして自動送信する処理を実行することが好ましい。
【００１５】
これにより、ユーザは特に要求データを送信する操作を実行しなくても最寄りの貯水施設の分布状態を把握することができる。
【００１６】
また、前記端末側記憶部には地図データが記憶されていて、ユーザにより前記データ出力部に出力されている前記貯水施設データのいずれかが前記データ入力部を介して選択された場合、前記端末側動作制御部は、選択された前記貯水施設データと前記端末位置情報取得部により取得された前記位置情報と前記地図データとに基づいて、前記位置情報により特定される前記ユーザ端末の現在位置から選択された前記貯水施設データにより特定されている位置までの経路を前記データ出力部に出力させる処理を実行することが好ましい。
【００１７】
これにより、地理情報に詳しくないユーザであっても、容易に貯水施設に向かうことができる。
【発明の効果】
【００１８】
本発明における貯水施設データ検索システムの構成を採用することにより、公共の使用が可能な貯水施設の検索を容易に行うことができる。
【図面の簡単な説明】
【００１９】
【図１】第１参考実施形態における貯水施設データ検索システムの概略構成図である。
【図２】第１参考実施形態における貯水施設データ検索システムのユーザ端末の概略構成図である。
【図３】第１参考実施形態における貯水施設データ検索システムの貯水施設データサーバの概略構成図である。
【図４】第１参考実施形態における貯水施設データ検索システムを用いた貯水施設データの検索方法の概略処理フロー図である。
【図５】第１参考実施形態における貯水施設データ検索システムにおける貯水施設の分布マップの一例である。
【図６】第２参考実施形態における貯水施設データ検索システムにおける貯水施設の分布マップの一例である。
【図７】第１実施形態における貯水施設データ検索システムの概略構成図である。
【図８】第２実施形態における貯水施設データ検索システムの概略構成図である。
【図９】第２実施形態における貯水施設データ検索システムにおける貯水施設の分布マップの一例である。
【発明を実施するための形態】
【００２０】
以下、本発明にかかる貯水施設データ検索システムの実施形態について、図面に基づいて具体的に説明する。
【００２１】
（第１参考実施形態）
図１は第１参考実施形態における貯水施設データ検索システムの概略構成図である。図２は本実施形態における貯水施設データ検索システムのユーザ端末の概略構成図であり、図３は本実施形態における貯水施設データ検索システムの貯水施設データサーバの概略構成図である。図１に示すように本実施形態における貯水施設データ検索システム１００は、ネットワーク網ＮＴＷとネットワーク網ＮＴＷに通信可能な少なくとも１台のユーザ端末１０および貯水施設データサーバ２０を有している。具体的には、ユーザ端末１０からの要求データがネットワーク網ＮＴＷを介して貯水施設データサーバ２０に送信されると、貯水施設データサーバ２０のサーバ側動作制御部２１が要求データに該当する貯水施設データＣＳＤをユーザ端末１０に送信し、ユーザ端末１０の端末側動作制御部１１が貯水施設データサーバ２０から受信した貯水施設データＣＳＤをユーザ端末１０のデータ出力部１５に出力するものである。
【００２２】
本実施形態におけるユーザ端末１０は、図１および図２に示すように、端末側動作制御部１１と、端末側通信部１２と、データ入力部１３と、端末側記憶部１４と、データ出力部１５とを具備している。端末側動作制御部１１は、端末側記憶部１４に予め記憶されている動作制御プログラムＰＧＭに基づいて端末側通信部１２と、データ入力部１３と、端末側記憶部１４と、データ出力部１５の動作制御を行うものであり、パーソナルコンピュータのＣＰＵ等を例示することができる。端末側通信部１２は、ユーザ端末１０をインターネット等のネットワーク網ＮＴＷに接続させるためのものであり、無線ＬＡＮに代表される通信機器等を例示することができる。データ入力部１３は少なくとも貯水施設に関する情報を要求する要求データＲＱＤを作成する際において、任意の要求データＲＱＤの入力を行うためのものであり、音声入力マイクやタッチパネルならびにキーボード等を例示することができる。
【００２３】
端末側記憶部１４は、動作制御プログラムＰＧＭが予め記憶されていると共に、データ入力部１３により入力された要求データＲＱＤや貯水施設データサーバ２０から送信された貯水施設データＣＳＤ等が追加記憶可能な記憶媒体である。このような記憶媒体としては不揮発性の記憶媒体が好ましく、ハードディスクドライブやフラッシュメモリ等を例示することができる。データ出力部１５は少なくとも貯水施設データＣＳＤの出力を行うものであり、ディスプレーモニタやスピーカを例示することができる。このようなユーザ端末１０としてはいわゆるタブレット端末やスマートフォンに代表される電子機器により実現することができる。
【００２４】
本実施形態における貯水施設データサーバ２０は、図１および図３に示すように、サーバ側動作制御部２１と、サーバ側通信部２２と、サーバ側記憶部２３とを具備している。サーバ側動作制御部２１は、サーバ側記憶部２３に予め記憶されている動作制御プログラムＰＧＭに基づいてサーバ側通信部２２とサーバ側記憶部２３の動作制御を行うためのものであり、サーバコンピュータのＣＰＵ等を例示することができる。サーバ側通信部２２は、貯水施設データサーバ２０をインターネット等のネットワーク網ＮＴＷに接続させるためのものであり、無線ＬＡＮ等の通信機器等を例示することができる。サーバ側記憶部２３は少なくとも貯水施設の位置データを含む貯水施設データＣＳＤが地図データＭＡＰと共に記憶可能な記憶媒体であって、不揮発性の記憶媒体が好ましく、ハードディスクドライブやフラッシュメモリ等を例示することができる。このような貯水施設データサーバ２０は、いわゆるサーバコンピュータに代表される電子機器により実現することができる。
【００２５】
次に本実施形態における貯水施設データ検索システム１００を用いた貯水施設データ検索方法について図４を参照しながら説明する。ユーザは、ユーザ端末１０の端末側記憶部１４に予めインストールしてある動作制御プログラムＰＧＭを起動する（ステップ１）。動作制御プログラムＰＧＭが起動すると、端末側動作制御部１１はユーザ端末１０のデータ出力部１５であるディスプレーモニタに貯水施設の検索条件となる要求データＲＱＤの入力画面を出力し、ユーザに要求データＲＱＤの入力を促す（ステップ２）。
【００２６】
要求データＲＱＤは、ユーザがユーザ端末１０を用いて検索したい貯水施設に関する要求内容からなるデータである。具体的には、貯水施設の名称、指定住所（指定区域）、駐車場の有無等により構成することができる。要求データＲＱＤは、動作制御プログラムＰＧＭによりユーザ端末１０のデータ出力部１５に出力された要求データ入力フォームに任意の要求条件または要求データ入力フォーマットに従って直接または選択ボタン形式により入力する方式や、音声入力方式により生成することができる。入力された要求データＲＱＤは端末側記憶部１４に記憶させておくこともできる。
【００２７】
ユーザがデータ入力部１３から要求データＲＱＤの入力（ステップ３）を行うと、端末側動作制御部１１はディスプレーモニタに送信ボタンを出力し、ユーザに要求データＲＱＤの送信を促す（ステップ４）。ユーザが送信ボタンをクリックすると端末側動作制御部１１は要求データＲＱＤの入力画面に入力された要求データＲＱＤを端末側通信部１２およびインターネット等のネットワーク網ＮＴＷを介して接続された貯水施設データサーバ２０に要求データＲＱＤの送信（ステップ５）を行う。
【００２８】
貯水施設データサーバ２０のサーバ側動作制御部２１は、ネットワーク網ＮＴＷおよびサーバ側通信部２２を介して受信したユーザ端末１０からの要求データＲＱＤを受信（ステップ６）させると共に、サーバ側記憶部２３に要求データＲＱＤを記憶させる（ステップ７）処理を実行する。続いてサーバ側動作制御部２１は受信した要求データＲＱＤに基づいて、サーバ側記憶部２３に予め記憶されている貯水施設データＣＳＤから要求データＲＱＤの要求内容に該当する貯水施設データＣＳＤを抽出する（ステップ８）と共に、サーバ側通信部２２およびネットワーク網ＮＴＷを介して接続されているユーザ端末１０に抽出した貯水施設データＣＳＤを送信する（ステップ９）。
【００２９】
ユーザ端末１０の端末側動作制御部１１は、端末側通信部およびネットワーク網ＮＴＷを介して貯水施設データサーバ２０から送信された要求データＲＱＤに対する回答データとしての貯水施設データＣＳＤを受信（ステップ１０）すると共に、端末側記憶部１４に受信した貯水施設データＣＳＤを記憶させる（ステップ１１）処理を実行する。このとき、端末側動作制御部１１は、受信した貯水施設データＣＳＤに対応する要求データＲＱＤと紐付けした状態で端末側記憶部１４に貯水施設データＣＳＤを記憶させることもできる。
【００３０】
次に、ユーザ端末１０の端末側動作制御部１１は、受信した貯水施設データＣＳＤをデータ出力部１５としてのディスプレーモニタに出力（ステップ１２）する処理を実行する。貯水施設データＣＳＤには、貯水施設の名称、貯水施設の位置（住所）、駐車場の有無、貯水量等のデータを含んでいる。端末側記憶部１４に予め地図データＭＡＰが記憶されている場合、端末側動作制御部１１は、貯水施設データＣＳＤに含まれている貯水施設の位置データに基づいてディスプレーモニタに要求データＲＱＤに該当する貯水施設の分布マップを図５に示すようにディスプレーモニタに出力することができる。なお、図５における●印および×印は、前者が要求データＲＱＤに該当する貯水施設の位置を示すものであり、後者が要求データＲＱＤにおいて要求した指定住所（指定区域）の位置や後述するユーザ端末１０が取得した現在位置情報に基づいて特定された位置を示すものである。貯水施設の分布マップはデータ入力部１３の指示により拡大および縮小することもできる。
【００３１】
また、貯水施設データＣＳＤに貯水施設の名称および外観写真データや駐車場の有無データならびに貯水量のデータが含まれていて、データ入力部１３で分布マップに出力されている任意の貯水施設を選択（クリックまたはマウスオン）した場合、選択した貯水施設の名称および外観写真や駐車場の有無データならびに貯水量の追加データを分布マップで選択した貯水施設の脇に追加出力させることもできる。さらに、端末側記憶部１４に地図データＭＡＰやナビゲーションデータが記憶されていると共にＧＰＳ装置等によりユーザ端末１０の現在位置情報の取得が可能である場合には、データ入力部１３で任意の貯水施設を選択した際に、現在位置情報により特定されるユーザ端末１０の現在位置から、選択した貯水施設の貯水施設データＣＳＤにより特定されている位置までの経路案内画面の出力を行う経路案内機能ボタン（図示はせず）を追加出力させることもできる。このような経路案内機能によれば、外出先で災害に遭ってしまったような場合や地理的な知識に乏しいユーザであっても確実に貯水施設に向かうことができる。
【００３２】
以上のようにしてユーザは貯水施設データの検索を行うことができる。以上の実施形態においては、要求データＲＱＤの内容が具体的な内容になっている形態について説明したが、要求データＲＱＤは具体的な条件を定めず、貯水施設データＣＳＤのすべてを要求する内容にすることもできる。また、端末側動作制御部１１は、ユーザ端末１０の端末位置情報取得部としてのＧＰＳ装置等によりユーザ端末１０の現在位置を自動取得させ、取得したユーザ端末１０の現在位置情報を貯水施設データサーバ２０に要求データＲＱＤとして自動送信させるようにしてもよい。これらによれば、貯水施設の分布マップの任意の部分を拡大・縮小することで任意の貯水施設を検索することができる点において好都合である。
【００３３】
（第２参考実施形態）
本実施形態においては、第１参考実施形態における貯水施設データ検索システム１００に残存貯水量に関する情報を追加した点が特徴である。本実施形態における貯水施設データ検索システム１００において第１参考実施形態と共通する構成については、第１参考実施形態で用いた符号を付すことにより、ここでの詳細な説明を省略する。
【００３４】
本実施形態においては、貯水施設データ検索システム１００に登録されている各々の貯水施設における貯水タンクに図示しないデータ出力可能な水位計が残存貯水量検出手段として設けられていて、データ出力可能な水位計はネットワーク網ＮＴＷに接続されており、データ出力可能な水位計により検出された貯水タンクの残存貯水量データは常時または所定時間毎に貯水施設データサーバ２０に送信可能に設けられている。このようなデータ出力可能な水位計は、貯水タンクの水取出口に装着されたキャップの内面に貯水タンク内の水面に向けて音波を照射し、水面からの反射波を計測するソナーを取り付け、ソナーによる計測値をデータ出力可能にしたものを例示することができる。
【００３５】
貯水施設データサーバ２０のサーバ側動作制御部２１は、データ出力可能な水位計から提供された貯水タンクの残存貯水量データと最大貯水量データとを用いてそれぞれの貯水施設における最大貯水量データに対する残存貯水量データの割合をグラフ化してディスプレーモニタにそれぞれの貯水施設に対応するグラフを図６に示すように出力させる処理を実行する。
【００３６】
本実施形態における最大貯水量データに対する残存貯水量データの割合のグラフは、図６に示すように、最大貯水量をタンク全体として表示し、残存貯水量をタンク内の水として出力している。図６について具体的に説明すると、図６のほぼ中央に位置する飯田市役所においては、タンクに×印があるため、残存貯水量が０であることがわかる。図６の中央部下端部分に位置する飯田市立病院はタンクが２本あり、いずれのタンクも満タンであることがわかる。このような貯水施設の分布マップを採用することで、どの貯水施設に向かえば水を入手することができる可能性が高いかを判断することができるため、使い勝手が良好である。
【００３７】
（第１実施形態）
本実施形態においては、第１参考実施形態および第２参考実施形態の少なくとも一方における貯水施設データ検索システム１００に給水車３０に関する情報を追加した点が特徴である。本実施形態における貯水施設データ検索システム１００において第１参考実施形態または第２参考実施形態と共通する構成については、第１参考実施形態または第２参考実施形態で用いた符号を付すことにより、ここでの詳細な説明を省略する。
【００３８】
本実施形態においては、図７に示すようにネットワーク網ＮＴＷと通信可能な給水車３０を追加的に有している点が特徴である。給水車３０は、ネットワーク網ＮＴＷを介してユーザ端末１０および貯水施設データサーバ２０と通信可能な通信部３１と、データ入力およびデータ出力が可能なデータ入出力部３２と、これらの動作制御を行う給水車側動作制御部３３を具備する。本実施形態における給水車３０に搭載された上記各構成は、いわゆるタブレット端末やスマートフォン等に代表される電子機器により実現することができる。給水車３０の貯水タンクにはデータ送信可能な水位計（いずれも図示せず）が設けられ、データ出力可能な水位計による検出数値（運搬中水容量データＴＷＤ）がデータ入出力部３２に送信される。給水車側動作制御部３３は、データ出力可能な水位計から送信された運搬中水容量データＴＷＤを、運搬先貯水施設データＴＳＤと共に通信部３１およびネットワーク網ＮＴＷを介して貯水施設データサーバ２０に送信する処理を実行する。給水車側動作制御部３３は、給水車３０が運搬先貯水施設データＴＳＤに到着予定時刻データを追加させるようにしてもよい。これら給水車３０からネットワーク網ＮＴＷに送信されるデータは図示しない車両側記憶部に記憶させておくこともできる。
【００３９】
貯水施設データサーバ２０のサーバ側動作制御部２１は、サーバ側通信部２２を介して受信した運搬中水容量データＴＷＤと運搬先貯水施設データＴＳＤをサーバ側記憶部２３に記憶させる処理を実行する。次に、サーバ側動作制御部２１はサーバ側記憶部２３に記憶されている貯水施設データＣＳＤから運搬先貯水施設データＴＳＤに該当する貯水施設でデータＣＳＤを抽出し、抽出した貯水施設データＣＳＤにおける残存貯水量データに運搬中水容量データＴＷＤを反映させた更新後の貯水施設データＣＳＤを生成し、サーバ側記憶部２３に記憶させる処理を実行する。
【００４０】
また、給水車３０からの運搬中水容量データＴＷＤと運搬先貯水施設データＴＳＤをユーザ端末１０に直接受信させることもできる。ユーザ端末１０の端末側動作制御部１１は、受信した運搬先貯水施設データＴＳＤを端末側記憶部１４に記憶させると共に、すでに端末側記憶部１４に記憶されている最新の貯水施設データＣＳＤが運搬先貯水施設データＴＳＤに一致した場合、一致した貯水施設データＣＳＤの残存貯水量に運搬中水容量データＴＷＤを反映させた更新後の貯水施設データＣＳＤを生成する処理を実行することもできる。そして、端末側動作制御部１１はこのようにして得られた最新の貯水施設データＣＳＤをディスプレーモニタに出力させれば、貯水施設データサーバ２０に運搬中水容量データＴＷＤと運搬先貯水施設データＴＳＤを送信した形態と同様の結果を得ることができる。
【００４１】
以上のような形態によれば、ユーザ端末１０は最新の貯水施設データＣＳＤを入手することができる。また、給水車３０の到着予定時刻データが追加されている場合には、貯水施設分布マップに表示され、ユーザにより選択された貯水施設の出力情報に給水車３０の到着予定時刻を併せて出力させることができる。これにより、貯水施設現時点では残存貯水量が少ない貯水施設であっても残存貯水量が増加する予定時刻を確認することができるため、貯水施設の選択肢を増やすことができる点において好都合である。
【００４２】
（第２実施形態）
本実施形態においては、図８に示すように給水車３０の現在位置データが取得可能な給水車位置検出部３４をさらに有している点で第１実施形態と構成が異なる。給水車位置検出部３４によって検出された給水車３０の現在位置データは通信部３１からネットワーク網ＮＴＷを介してユーザ端末１０または貯水施設データサーバ２０に送信され、受信した現在位置データと地図データＭＡＰまたはナビゲーションデータに基づいてユーザ端末１０のディスプレーモニタに出力された経路貯水施設分布マップ上に給水車３０の現在位置表示が行われる（図９参照）。このとき、端末側動作制御部１１またはサーバ側動作制御部２１は、運搬先貯水施設データＴＳＤと給水車位置検出部３４による給水車３０の現在位置データと、地図データＭＡＰまたはナビゲーションデータに基づいて、貯水施設分布マップ上に表示させた給水車３０の行先を矢印等で併せて表示させることもできる。なお、給水車３０が水を運搬していないとき（給水車３０が運搬先貯水施設データＴＳＤを送信していないとき）には、経路貯水施設分布マップ上への給水車３０の現在位置表示を行わないようにすることもできる。
【００４３】
図９に示されているように、給水車３０は、現在残存貯水量が０である飯田市役所に向けて水を運搬中であることが理解できる。給水車３０から運搬中水容量データＴＷＤと運搬先貯水施設データＴＳＤと到着予定時刻データが提供されている場合、図９に示されている給水車３０または飯田市役所をクリックまたはマウスオン（選択）すれば、端末側動作制御部１１が現在運搬中の水の到着予定時刻または到着予定時間をディスプレーモニタに出力させることもできる。
【００４４】
以上、本発明にかかる貯水施設データ検索システム１００について複数の実施形態に基づいて詳細に説明をしたが、本発明にかかる貯水施設データ検索システム１００は以上の実施形態に限定されるものではない。例えば、以上の実施形態においては、貯水施設データサーバ２０および給水車３０はネットワーク網ＮＴＷに１台のみ接続された形態について説明しているが、複数台の貯水施設データサーバ２０および給水車３０を接続させることもできる。これによりユーザ端末１０からの要求データＲＱＤに対する回答処理の向上や、残存貯水量が０になる貯水施設の数を削減することができる。
【００４５】
また、以上の実施形態においては、貯水施設における貯水タンクに図示しないデータ出力可能な水位計が残存貯水量検出手段として設けられていて、貯水タンクの残存貯水量が貯水施設データサーバ２０に自動的に送信される形態について説明しているが、貯水施設における管理者が目視等により貯水タンクの残存貯水量を計測し、管理者が残存貯水量を貯水施設データサーバ２０に送信する簡易化された形態を採用することもできる。
【００４６】
また、以上に説明した実施形態における各種変形例どうしを適宜組み合わせた構成を採用することも可能である。
【符号の説明】
【００４７】
１０  ユーザ端末，
１１  端末側動作制御部，１２  端末側通信部，１３  データ入力部，
１４  端末側記憶部，１５  データ出力部，
２０  貯水施設データサーバ，
２１  サーバ側動作制御部，２２  サーバ側通信部，２３  サーバ側記憶部，
３０  給水車，
３１  通信部，３２  データ入出力部，３３  給水車側動作制御部，
３４  給水車位置検出部，
１００  貯水施設データ検索システム，
ＣＳＤ  貯水施設データ，
ＭＡＰ  地図データ，
ＮＴＷ  ネットワーク網，
ＰＧＭ  動作制御プログラム，
ＲＱＤ  要求データ，
ＴＳＤ  運搬先貯水施設データ，
ＴＷＤ  運搬中水容量データ